(57)【要約】【課題】  地震、火災等で、建物内から避難するとき、縄ハシゴ等での避難は、怖くて危険で、困難なことです。老人、病人、女子、子供、高所恐怖症等の人達は、避難出来ません。【解決手段】  建物内に、クレーンを設置して、避難器具に、人間を乗せて、クレーンで吊り上げ、リモコンスイッチの操作や、全自動操作によって、安全で簡単に、避難出来る、避難装置です。【選択図】  図１
2006192231.tif 000002
【特許請求の範囲】
【請求項１】
建物に、クレーンを取付け、クレーンを使用して、避難する、避難装置。
【請求項２】
クレーンのブーム４が、自動的に建物の外側に旋回する様に、クレーンの柱２を、建物の外側の方向に少し傾けて取付けても良いし、本発明のリモコン付き、又は全自動操作装置付きの、モーター２４減速歯車２５装置で、クレーンのブーム４を旋回させる装置であれば本発明のクレーンの柱２は、垂直に取付けても良い、また、蝶番５の取付けを、建物の外側に少し傾けて取付けて、クレーンのブーム４を自動的に、旋回させても良いし、上記の方法を、各々、併用しても良い、避難装置。
【請求項３】
蝶番５の取付けは、図２のように、２枚板７で取付ける、避難装置。
【請求項４】
クレーンのウインチ６、蝶番５装置のモーター２４を、リモコン付きにし、またウインチ６、蝶番５装置のモニター２４、避難器具１０、過捲防止装置２２等を、全自動操作装置にする、避難装置。
【請求項５】
ウインチのワイヤー８、吊り上げ装置のワイヤー１５、蝶番５避難器具１０等を、ステンレス材料を使用する、避難装置。
【請求項６】
動滑車９を使用した場合、避難器具１０が、建物と並行になる位置で、動滑車９のフック１１を、動滑車９に溶接して固定し、フック１１が自由に回らない様にする、避難装置。
【請求項７】
避難器具１０の形は、図３の様に、人間が落ちない様に、両端が高く、真中が低い形にして、転落防止装置兼吊り上げ装置１４付き、避難装置。
【請求項８】
ブーム４の下側柱２に、図４の様な、ブーム旋回用手摺１８を取付ける、なお、避難装置を、クレーンとして使用する時は、柱２から外す構造にする、避難装置。
【請求項９】
避難器具ひっかけ棒１９を用意する、避難装置。
【請求項１０】
ブーム４の先端に、ロープ２０を取付け、ベランダ内の壁、定滑車２１を取付け、定滑車２１に、ロープ２０を通して、引っ張る、避難装置。
【請求項１１】
家庭用配線のブレーカーとは別の、電源を使用する、避難装置。
【請求項１２】
本発明の避難装置は、クレーンとして使用出来る、避難装置。
【請求項１３】
クレーンのブームを、旋回させるため、蝶番５の中心の心棒２７を、２枚板７側に固定し、心棒２７を延長して、その下部に、歯車２６を固定し、蝶番５の２枚板の反対側の１枚板５に、リモコン付、又は全自動操作装置付のモーター２４と減速歯車２５を取付け、蝶番５の心棒２７の下部に取付けた歯車２６と、減速歯車２５を、連結させる、避難装置。
【発明の詳細な説明】
【技術分野】
【０００１】  本発明品は、建物の、屋上、ベランダ、窓、テラス、非常口、階段、踊り場等に本発明の避難装置を設置し、安全で簡単に避難出来る、避難装置です。
【背景技術】
【０００２】  地震、火災等で、建物の高い所から避難する場合、従来は縄ハシゴを使用していましたけれども、実際に縄ハシゴを使って安全な所まで避難するのは、非常に危険で、困難なことです。
【発明が解決しようとする課題】
【０００３】  建物の高い所からの避難は危険で困難な縄ハシゴ避難ではなく、本発明のクレーンと、避難器具を使って、安全で簡単に避難出来る様に発明されたものです。
【課題を解決するための手段】
【０００４】  上記目的を達成するために、図面とともに説明します。
図１の様に、本発明の避難装置ｊは、建物の、屋上、ベランダ、窓、テラス、階段、踊り場等に、クレーンの柱２を建て、ベランダ等の手摺１の上部、下部等に、また図６の様に、窓用のクレーンの柱２の上部、下部の部分に、取付け金具３で、クレーンの柱２を取付ける。
その際、クレーンのブーム４が自動的に建物の外側に旋回する様に、クレーンの柱２を建物の外側の方向に少し傾けて取付けても良いし、本発明の、リモコン付き、または、全自動操作付きのモーター減速歯車装置  で、クレーンのブーム４を旋回させる装置であれば、本発明の避難装置のクレーンの柱２は、垂直に取付けても良い。
また、蝶番５の取付けを建物の外側に少し傾けて取付けて、クレーンのブーム４を自動的に旋回させても良いし、上記の方法を、各々、併用しても良い。
【０００５】  柱２の上部に、クレーンのブーム４を取付ける、ブーム４の根元は、蝶番５で取付け、ブーム４が旋回出来る様にする、蝶番５の取付けは１枚板ではなく、図２の様に、どの部分でも強度を保てる、２枚板で取付ける、また、蝶番５で、ブーム４を旋回させるために図７の様に、蝶番５の中心の心棒２７を２枚板７側に固定し、心棒２７を延長して、その下部に歯車２６を固定し、蝶番５の２枚板の反対側の１枚板５に、リモコン付き、または、全自動操作付きのモーター２４と減速歯車２５を取付け、蝶番５の心棒２７の下部に取付けた歯車２６と連結させる。
【０００６】クレーンのブーム４の先端部分にクレーンのウインチ６を取付ける。ウインチ６は、リモコン付き、または、全自動操作のウインチを使用する。
ウインチ６のワイヤー８は腐食しにくい、ステンレスのワイヤーを使用する。
ワイヤー８の繰り込みは、１本吊りと、２本吊りを使用する。
本発明のワイヤー８の、２本吊りの場合、ワイヤー８の中間に、動滑車９を使用する。
動滑車９を使用する場合、避難器具１０を、最上部まで吊り上げたとき、動滑車９は、ブーム４と同じ向きになります。そして避難器具１０が建物と平行になる位置で、動滑車９のフック１１を、動滑車９に溶接して、フック１１が、自由に回らない様に固定する。
以上の方法により、避難器具１０は、ベランダ等内で、ウインチ６を巻き上げ、最上部へ行った時も、ベランダ等と平行になり、旋回してベランダ等の外側へ行き、避難器具１０をウインチ６で降ろすときも、ベランダ等と避難器具１０が、平行になり、避難器具１０が、回転したり、動いたりせず、固定され、安全に避難器具１０を降ろすことが出来ます。
１本吊りの場合は、避難器具１０が回転することはありますが、フック１１に縒りもどし１２を付け、回転を最小限にする。
【０００７】  避難器具１０は、避難者を、ベランダの手摺１の上を越えて、外側に出す時、ベランダの手摺１と、上の天井１３との間隔が狭く限られています。その間隔に、クレーンのブーム４を、ウインチ６、ワイヤー８、動滑車９、ワイヤー叉はクサリ１５、避難器具１０等を、全部一緒に、通さなければなりませんので、避難器具の形は、人間が、避難器具１０上に、身体を寝かせる状態の形にした、少しでも高さのない、低い避難器具１０にする。そして人間が、落ちない様に、図３の様に、両端が高く、真中が低い形にして、転落防止装置１４を取付け、ワイヤー又はクサリ１５等で、避難器具１０を吊り上げる。
避難器具１０の材質は、永年使用されなくても腐食しない、ステンレス等を使用する。
避難器具１０を吊り上げるとき、吊り上げ装置１５は、４本掛けにし、いつも一定の長さで一定の場所に固定しないと、避難器具１０が、傾いたりするので、ワイヤーを使用する場合は、４本とも同じ長さにし、クサリを使用する場合、クサリの穴にフック  と、クサリ  がずれない様に、ずれ止めで固定する。
ワイヤー又はクサリ１５の先端の片側２本掛けは、転落防止兼吊り上げ装置１４に固定し、外の２本掛けは、ワイヤー又はクサリ１５の先端に、外れ止めが付いた、フック１６を取付け、そのフック１６を、転落防止兼吊り上げ装置１４にひっかける。
そして安全のために、避難器具１０に、安全ベルト１７を取付ける。
【０００８】  クレーンのブーム  の下側の柱２の部分に、図４の様な、ブーム旋回用手摺１８を取付ける。このブーム旋回用手摺１８は、避難器具上にいる人間が、ベランダ等から外側に、ブーム  が旋回して出ていくとき、旋回の速さを調節するためにあります。
避難器具１０に乗り、最上部に上がったとき、片手でブーム旋回用手摺１８をつかみ、ブーム４の旋回が速ければ、手でおさえて旋回を遅くし、旋回が止まるか、遅いときは、手でブーム旋回用手摺１８をたぐり寄せ、ベランダ等の外側まで、ブーム４を旋回させる。ただし、図６の様に窓用等にクレーンの柱２を取付けるときは、窓にあたるので窓用等にはブーム旋回用手摺１８は使用出来ない。
【０００９】  ブーム４は自動的に、ベランダ等内から外側に出て行く様に作ってありますので、後の人は、前の人が降りたら、また元の位置に避難器具１０を、戻さなければなりません。
そのため、避難器具ひっかけ棒１９を用意して、ベランダの外側にある避難器具１０を、避難器具ひっかけ棒１９でひっかけ、たぐり寄せ、ベランダ等内へもってくる。
又は、ブーム４の先端に、ロープ２０を取付け、ベランダ等内の壁にも定滑車２１を取付け、定滑車２１の中を、ロープ２０を通し、そのロープを引くと、ブーム４がベランダ等内へ旋回して、元の位置まで避難器具１０を持ってくることが出来、後の人が、避難器具１０を、使用することが出来る。
【０００１０】  本発明の避難器具装置の電源は、家庭内の電源を使用しますが、火災等で万が一、家庭内配線のブレーカーが作動した場合、本発明の避難装置は、使用出来なくなりますので、家庭内ブレーカーとは、別の配線の電源を使用する。
【実施例】
【０００１１】  実施例に付いて、図面を参照して説明する。
本発明の避難装置を使用する場合、一人だけで使用する場合、まず初めに、避難装置の、電源を入れる。そしてリモートコントロール装置で使用する場合は、まず初めに、避難装置の電源を入れる。そしてリモートコントロール装置で使用する場合は、リモートコントロールスイッチを持って、避難器具１０の上に仰向けに寝る、そして安全ベルト１７を締め、吊り上げ装置のフック１６を、転落防止兼吊り上げ装置１４に引っ掛ける、そしてリモートコントロールのスイッチの上のボタンを押す、そうすると、ウインチ６が、ワイヤー８を捲き、避難器具１０が最上部まで上がって行き、ウインチ６の過捲防止装置２２によって、ウインチ６が止まり、避難器具が止まる、避難器具上の人間は、ブーム旋回用手摺１８に手を掛け、それを握り、ベランダ等内から外側へ旋回する、ブーム旋回の速度を調整しながら、外側の降りる所まで避難器具１０を誘導する。そして降りる場所まで来たら、リモートコントロールスイッチの、下のボタンを押すと、ウインチ６が、ワイヤー８を降ろし、避難器具１０が、安全な場所まで降りて行く。
窓用等で使用するときは、ブーム旋回用手摺（１８）は使用出来ませんので、蝶番（５）装置のモーター（２４）、減速歯車（２５）、リモコン付きを使用、避難器具（１０）が最上部へ上がると、旋回用リモコンスイッチの右のボタンを押すと、クレーンのブーム（４）は右旋回しながら、部屋内から、窓の外に旋回して、降りる場所まで、避難器具を誘導する。避難器具（１０）を元のベランダ等内に戻すときは、リモコンスイッチの左のボタンを押すと左旋回しながら、元のベランダ等内へ避難器具（１０）が戻って行く。【０００１２】  次に二人以上で使用する場合、まず避難者は、老人、病人、女子、子供等、弱者の人から避難させるため、成人が、リモートコントロールスイッチを持ち、弱者の人を避難器具１０に乗せる。そしてリモートコントロールスイッチの上のボタンを押す。そして最上部に避難器具１０が上がったら、ブーム４の旋回の調節は、ブーム４が止まっている場合は、避難器具１０を手で押してやり、手が届かないときは、ひっかけ棒１９で押して旋回させ、降りる場所まで誘導してあげる。ブームの旋回が速くなる場合は、ロープ２０を引っ張り、旋回の速度を調節してあげ、そして降りる場所まで誘導したら、リモートコントロールスイッチの、下のボタンを押してあげ、安全な場所まで降ろしてあげる。
そして降ろし終わったら、リモートコントロールスイッチの、上のボタンを押して、避難器具１０を元の位置まで移動し、そして最後に成人が、上記の一人だけで使用する場合の方法で、安全な場所まで避難する。【０００１３】  本発明の避難装置をコンピューターによる全自動操作装置で使用する場合は、重量感知装置の付いた、避難器具１０に乗り、吊り上げ装置１５の、外れ止めが付いたフック１６を、転落防止兼吊り上げ装置１４にひっかけると、人間が完全に避難器具１０に乗ったと、避難器具１０のセンサーが感知し、数秒後、ウインチ６のセンサーが感知し、ウインチ６が、ワイヤー８を捲き、避難器具１０が、最上部まで上がり、ウインチ６の過捲防止装置２２で、ウインチ６が止まり、それからクレーンのブーム４は、自動的にベランダ内から、外部へ旋回し、降りる場所まで行き、旋回防止センサーが感知して、ブーム４の旋回が止まる。なお、ブームの旋回速度が不規則なときは、全自動操作装置で、蝶番５に装置された、モーター減速歯車旋回装置で作動させ、規則正しい速度で旋回させる。
降りる場所まで来た避難器具１０は、ウインチ６のセンサーが感知し、ウインチ６がワイヤー８を降ろし、避難器具１０は安全な場所まで降りて行く、安全な場所で人間が、避難器具１０から降りると、避難器具１０の重量感知センサーが感知し、避難器具は、元の位置まで全自動操作装置によって帰って行く。
【発明の効果】
【０００１４】  本発明は上記のとうり構成されているので、次に記載する効果を説明する。
【０００１５】  本発明の避難装置は、リモートコントロールのスイッチを押すだけで、又は、コンピューターによる全自動操作装置で、地震、火災、非常用等に、老人、病人、女子、子供等、体力のない人、高所恐怖症の人等、安全で簡単に避難出来る避難装置です。
【０００１６】  クレーンの柱２を、少し傾けることにより、または、蝶番５の取付けを少し傾けることにより、クレーンのブーム  を自動的に、旋回させることが出来、屋上、ベランダ、窓、テラス、階段、踊り場等の中から、外部の降りる場所まで、避難器具１０を誘導することが出来る。
【０００１７】  蝶番５の取付けは、ブーム４が、１８０°旋回しますので、１８０°どの部分でも、同じ強度の蝶番５でないと危険ですので、図２の様に、２枚板で取付ける。
【０００１８】  ウインチのワイヤー８吊り上げ装置のワイヤー１５蝶番５避難器具１０等は、屋上、ベランダ、等に格納されており、風雨に当たるので、腐食しない、ステンレス材料を使用する。
【０００１９】  ワイヤー８を、２本吊りで動滑車を使用すると、避難器具１０が建物と平行になる位置で動滑車のフック１１を、動滑車と固定すれば、避難器具１０を、最上部へ上げたときも、ベランダ等の外部の、避難器具１０を降ろす場所でも、避難器具１０は建物と平行になり、安全に避難することが出来る。
【０００２０】  本発明の避難装置は、避難用だけではなく、クレーンとして使用出来ます。住宅やビルの玄関から入らない、大きな物などを、ベランダ等内へ吊り上げ、吊り降ろしが出来ます。
【図面の簡単な説明】
【０００２１】
【図１】本発明の避難装置を、ベランダ内に取付けた、横図面である。
【図２】クレーンの柱に、蝶番の２枚板を取付けた、断面図である。
【図３】避難器具及び、吊り上げ装置の横図面である。
【図４】クレーンの柱に、ブーム旋回用手摺を取付けた、断面図である。
【図５】ひっかけぼ棒の横図面である。
【図６】本発明の窓用の避難装置を窓の部屋側に取付けた、横断面図である。
【図７】クレーンのブーム旋回用モーター減速歯車装置を蝶番に取付けた、正面図である。
【符号の説明】
【０００２２】１．ベランダの手摺
２．クレーンの柱
３．取付け金具
４．クレーンのブーム
５．蝶番
６．ウインチ
７．蝶番の２枚板
８．ウインチのワイヤー
９．動滑車
１０．避難器具
１１．動滑車のフック
１２．縒りもどし
１３．上の天井
１４．転落防止の装置
１５．吊り上げ装置
１６．吊り上げ装置のフック
１７．安全ベルト
１８．旋回用手摺
１９．ひっかけ棒
２０．ロープ
２１．定滑車
２２．過捲防止の装置
２３．窓
２４．モーター
２５．減速歯車
２６．固定歯車
２７．蝶番の心棒
【図１】
2006192231.tif 000003
【図２】
2006192231.tif 000004
【図３】
2006192231.tif 000005
【図４】
2006192231.tif 000006
【図５】
2006192231.tif 000007
【図６】
2006192231.tif 000008
【図７】
2006192231.tif 000009